(57)【特許請求の範囲】
【請求項１】
下ケースと、該下ケースの上部に着脱自在に設けられた軸線を上下方向とした貫通孔が形成されている平面が略円形な塵埃貯留部と、該塵埃貯留部の上部を閉塞する上ケースとを備えた掃除機本体において、
前記貫通孔上流側をフィルターで覆い、前記下ケースには前記貫通孔の下流側となるように電動送風機を設置すると共に、一端に塵埃吸入路を設け他端を前記塵埃貯留部の外周近傍に前記軸線を中心としたほぼ接線方向に連通した塵埃吸入導路を前記上ケースに形成したものであって、
前記フィルターは、前記貫通孔に設けた内側支持枠により内側に支持されている目の細かい内側フィルターと、前記内側フィルターの外側を覆うように前記貫通孔の上流側に設けられると共に前記塵埃貯留部に着脱自在に固定する固定手段を介して設けた目の粗い集塵用の外側フィルターとからなることを特徴とする掃除機本体。
【請求項２】
前記固定手段は螺子結合であることを特徴とする請求項１記載の掃除機本体。
【請求項３】
前記固定手段は、前記塵埃貯留部及びフィルターのいずれか一方に嵌合部を設けると共に、他方に前記嵌合部が着脱自在に嵌合する嵌合受け部を設けたことを特徴とする請求項１記載の掃除機本体。
【発明の詳細な説明】
【０００１】
【発明の属する技術分野】
本発明は、平面が略円形な塵埃貯留部を備えた掃除機本体に関する。
【０００２】
【発明が解決しようとする課題】
従来、平面が略円形な塵埃貯留部を備えた電気掃除機においては、本体内に塵埃貯留部を着脱自在に設けると共に、この塵埃貯留部の上下方向に設けた軸心に貫通孔が形成され、この貫通孔の上流側にはフィルターが置かれて設けられている。そして、貫通孔の下流側に設けられた電動送風機を作動すると、ホースから接続口を介して塵埃と共に空気が塵埃貯留部に渦巻きながら導入され、塵埃はサイクロン作用により塵埃貯留部に溜まり、空気はフィルターを通って排気されるものである。
【０００３】
ところで、このような掃除機においては溜まった塵埃を廃棄するには塵埃貯留部を取り出し下向きにして廃棄すればよいものであるが、塵埃貯留部を下向きにするとフィルターが外れて落下してしまう虞があった。このため塵埃を廃棄する際には、片手でフィルターを押さえて塵埃貯留部を下向きにして塵埃を廃棄しなければならず、安心して扱うことができないという問題があった。
【０００４】
そこで、本発明は、貯留した塵埃を廃棄するため塵埃貯留部を本体より取り外した際に、塵埃貯留部に設けられたフィルターが外れることがない掃除機本体を提供することを目的とする。
【０００５】
【課題を解決するための手段】
請求項１の発明は、下ケースと、該下ケースの上部に着脱自在に設けられた軸線を上下方向とした貫通孔が形成されている平面が略円形な塵埃貯留部と、該塵埃貯留部の上部を閉塞する上ケースとを備えた掃除機本体において、前記貫通孔上流側をフィルターで覆い、前記下ケースには前記貫通孔の下流側となるように電動送風機を設置すると共に、一端に塵埃吸入路を設け他端を前記塵埃貯留部の外周近傍に前記軸線を中心としたほぼ接線方向に連通した塵埃吸入導路を前記上ケースに形成したものであって、前記フィルターは、前記貫通孔に設けた内側支持枠により内側に支持されている目の細かい内側フィルターと、前記内側フィルターの外側を覆うように前記貫通孔の上流側に設けられると共に前記塵埃貯留部に着脱自在に固定する固定手段を介して設けた目の粗い集塵用の外側フィルターとからなることを特徴とする掃除機本体である。
【０００６】
この請求項１の構成によれば、塵埃貯留部を本体より取り外して下向きにして貯留されている塵埃を廃棄する際に、フィルターが塵埃貯留部より外れることはない。また、吸引された塵埃は吸引された空気と共に塵埃貯留部内を旋回して、塵埃は塵埃貯留部の底に貯留される。さらに細かい塵埃は外側フィルター、内側フィルターにより捕捉される。
【０００７】
請求項２の発明は、前記固定手段が螺子結合であることを特徴とする請求項１記載の掃除機本体である。
【０００８】
この請求項２の構成によれば、フィルターは螺子結合により塵埃貯留部に固定されている。
【０００９】
請求項３の発明においては、前記固定手段が、前記塵埃貯留部及びフィルターのいずれか一方に嵌合部を設けると共に、他方に前記嵌合部が着脱自在に嵌合する嵌合受け部を設けたことを特徴とする請求項１記載の掃除機本体である。
【００１０】
この請求項３の構成によれば、フィルターは嵌合により塵埃貯留部に固定されている。
【００１１】
【発明の実施形態】
以下、本発明の一実施形態を、添付図を参照して説明する。１は手持ち式掃除機の本体であり、この本体１は軸線Ａを上下方向に向けた略短円柱形状をなしたケース形状であり、下ケース２と、この下ケース２の上部に着脱自在に設けられる塵埃貯留部３と、この塵埃貯留部３の上部を閉塞する上ケース４と、この上ケース４の上部前後方向に形成したアーチ状の把持部５とを備えている。そして、前記上ケース４に形成し前記塵埃貯留部３に連通する塵埃吸入導路たる接続口６に、塵埃吸入路たる可撓性のホース７の基端７Ａが接続されていると共に、このホース７の先端７Ｂに、アタッチメントとしての幅広な吸込口体８の基端８Ａが着脱自在に設けられる。
【００１２】
９は前記下ケース２に設けた吸引用の電動送風機であり、この電動送風機９は下ケース２の上面中央に上方へ突設すると共に吸引孔10を形成した突部11に連通して配置されている。また、前記塵埃貯留部３は、上方を開口した透明又は半透明合成樹脂からなる円環部12の中央の軸線Ａ上に貫通孔12Ａが形成されており、この貫通孔12Ａの内側は、前記突部11に着脱自在に嵌合している。さらに、前記貫通孔12Ａの上方を覆うように、織布或いはフェルト等不織布からなる目の細かい集塵用の内側フィルター13が固定されている。尚、この内側フィルター13は、前記貫通孔12Ａに設けた内側支持枠14により、その内側を支持されている。さらに、前記内側フィルター13の外側を覆うように、前記貫通孔12Ａの上流側には、目の粗い集塵用の外側フィルター15を設ける。そして、前記貫通孔12Ａの下流側に前記電動送風機９が設けられる。前記外側フィルター15は、天板部16の外周下方に複数の通気孔17を形成した外側支持枠18と、前記通気孔17を覆う網体からなる外側フィルター本体15Ａから形成される。そして、前記外側支持枠18の下枠部18Ａは、前記円環部12の内周部12Ｂに着脱自在に固定されている。この固定は、例えば、前記下枠部18Ａに固定手段の一方を形成する雌螺子19を形成すると共に、前記円環部12の内周部12Ｂの下部外周面に固定手段の他方を形成する雄螺子20を形成して両者を螺子結合する。また、前記接続口６は、前記把持部５の前側の一側に形成されるように、前記上ケース４の前部一側に配置されると共に、その接続口６の向きは、前記軸線Ａを中心としたほぼ接線方向Ｓに形成されて前記円環部12の外周に沿うように配置されている。そして、前記ホース７の基端７Ａも、前記軸線Ａを中心としたほぼ接線方向Ｓとなって前記接続口６に接続される。したがって、前記電動送風機９を作動すると、前記吸込口体８から前記ホース７を塵埃と共に通った空気は、前記接続口６から前記上ケース４と塵埃貯留部３との間に渦巻きとなって吸引される。
【００１３】
21は、前記上ケース４の上面側に該上面の縁に沿って形成した溝部であり、この溝部21は、断面が円弧状にくりぬかれたような凹部により形成され、この溝部21に、断面が円形の前記ホース７の略下半分が係合するようになっている。さらに、前記溝部21は、平面がＣ字形状に形成されており、その前側は前記把持部５の前側により非連続となっており、前記溝部21の後側では、前記把持部５の後部が前記溝部21の上方に配置されて、この後部により押さえ部22が形成される。前記溝部21の後部と押さえ部22との間隔は、前記ホース７の直径と略同じに形成されている。さらに、前記把持部５の前側の他側には、前記ホース７の先端或いは該先端に取り付けられた前記吸込口体８の基端８Ａを保持するための保持部23を設ける。この保持部23は、前記把持部５の前側の他側より突設した支持部23Ａを介して、その軸線Ｂの前側を斜め下向きとすると共に、その形状は、前記ホース７の先端７Ｂの外径或いは前記吸込口体８の基端８Ａの外径とほぼ同じ内径を有する一部を切り欠いた円筒状である。
【００１４】
尚、図中24は前記本体１の前部に設けられ前記下ケース２に対して前記上ケース４を回動自在に接続するヒンジ部であり、25は前記本体１の後部に設けられ前記下ケース２に対して前記上ケース４を固定するクランプ、26は前記把持部５に設けた前記電動送風機９のスイッチである。
【００１５】
次に、前記構成についてその作用を説明する。前記本体１の把持部５を一方の手で把持すると共に、前記吸込口体８を前記保持部23から取り外し、他方の手で保持して部屋の隅などに向ける。そして、スイッチ26を操作することで前記電動送風機９を作動して、塵埃を前記吸込口体８、ホース７、接続口６を通して前記塵埃貯留部３と上ケース４の間に吸引する。吸引された塵埃は、吸引された空気と共に前記円環部12内を旋回して、サイクロン作用により前記円環部12の底に貯留される。さらに、細かい塵埃は、前記外側フィルター15、内側フィルター13により捕捉される。
【００１６】
一方、片手のみで使用したいときには、まず前記ホース７を前記溝部21に置いて、そのほぼ下半分を係合すると共に、前記上ケース４の後側においては前記ホース７を前記溝部21と把持部５の押さえ部22で挟むように固定する。さらに、前記先端７Ｂを前記保持部23で係合保持すると共に、前記先端７Ｂに前記吸込口体８の基端８Ａを接続する。この際、前記吸込口体８は、前記軸線Ｂに沿うように前側下方に向かうように取り付けられる。そして、前記保持部23で保持された前記吸込口体８を部屋の隅などに向けると共に、前記本体１の把持部５を手で持ち上げ、前記スイッチ26を操作することで前記電動送風機９を作動させて、塵埃を前記吸込口体８、ホース７、接続口６を通して前記塵埃貯留部３と上ケース４の間に吸引する。吸引された塵埃は、吸引された空気と共に前記円環部12内を旋回して、サイクロン作用により前記円環部12の底に貯留される。さらに、細かい塵埃は、前記外側フィルター15、内側フィルター13により捕捉される。
【００１７】
次に、塵埃を廃棄するには、まず前記クランプ25を解除して前記ヒンジ部24を介して前記上ケース４を開き、そして、前記下ケース２に載置されている前記塵埃貯留部３を取り出し、前記円環部12を下向きにして貯留されている塵埃を廃棄する。この際には、前記外側フィルター15は前記雌螺子19と雄螺子20による螺子結合により前記円環部12の内周部12Ｂに固定されているので、前記外側フィルター15が離脱するようなことはない。さらに、前記外側フィルター15に付着した塵埃を除去するには、前記外側フィルター15を回して螺子結合を解除して上方へ取り上げて軽く叩くなどして塵埃を取り除き、再び前記外側フィルター15を前記内側フィルター13に被せるようにして、螺子結合により固定するものである。
【００１８】
以上のように、前記実施例においては、本体１と、前記本体１内に着脱自在に設けられ上下方向に設けた軸線Ａに貫通孔12Ａを形成した平面が略円形な塵埃貯留部３と、前記貫通孔12Ａの上流側に設けられた外側フィルター15と、前記貫通孔12Ａの下流側に設けられた電動送風機９と、一端にホース７を設け他端を前記塵埃貯留部３の外周近傍に前記軸線Ａを中心としたほぼ接線方向Ｓに連通した接続口６を備え、前記貫通孔12Ａを覆うように前記外側フィルター15を前記塵埃貯留部３に着脱自在に固定する雌螺子19と雄螺子20による固定手段を設けたことにより、前記塵埃貯留部３を前記本体１から取り出して前記円環部12を下向きとして貯留されている塵埃を廃棄する際に、前記外側フィルター15が塵埃貯留部３よりはずれてしまうようなことはなく、安心して塵埃を廃棄することができる。
【００１９】
また、前記貫通孔12Ａを覆うように、前記外側フィルター15と塵埃貯留部３を前記雌螺子19と雄螺子20とで着脱自在に結合したことにより、前記外側フィルター15を回すだけで前記雌螺子19と雄螺子20を係脱し、前記外側フィルター15を前記塵埃貯留部３に対して簡単に着脱することができる。
【００２０】
図４は、他の実施例を示したものであり、前記実施例と同一部分には同一符号を付してその詳細な説明を省略する。前記貫通孔12Ａを形成した前記円環部12の内周部12Ｂの外周面下部に、縦向き溝部31と、この縦向き溝部31の下端に嵌合部たる横向き溝部32を形成し、一方、前記外側支持枠18の下枠部18Ａの内側に、嵌合受け部たる小突起33を形成し、そして、この小突起33を前記縦向き溝部31を通して前記横向き溝部32に嵌着して、前記外側フィルター15を前記突部11に固定するようにしてもよい。
【００２１】
したがって、塵埃を廃棄するには、前記下ケース２に載置されている前記塵埃貯留部３を取り出し、前記円環部12を下向きにして貯留されている塵埃を廃棄する。この際には、前記外側フィルター15は、前記横向き溝部32と小突起33による結合により前記内周部12Ｂに固定されているので、前記外側フィルター15が離脱するようなことはない。前記外側フィルター15を取り外すときは、この外側フィルター15をやや回動させて前記小突起33を前記縦向き溝部31の下端に移動させ、その後、前記小突起33が前記縦向き溝部31を通るように前記外側フィルター15を上方へ引上げるものである。
【００２２】
このように、前記横向き溝部32に前記小突起33を嵌合することで、前記外側フィルター15を、前記貫通孔12Ａを形成した前記円環部12の内周部12Ｂに着脱可能に固定することにより、前記塵埃貯留部３を前記本体１から取り出して、前記円環部12を下向きとして貯留されている塵埃を廃棄する際に、前記外側フィルター15が前記塵埃貯留部３よりはずれてしまうようなことはなく、安心して塵埃を廃棄することができる。
【００２３】
尚、本発明は上記実施例に限定されるものではなく、本発明の要旨の範囲内において、種々の変形実施が可能である。例えば、実施例では螺子結合や嵌着のものを示したが、バヨネット連結等によって嵌着するようにしてもよい。
【００２４】
【発明の効果】
請求項１の発明は、下ケースと、該下ケースの上部に着脱自在に設けられた軸線を上下方向とした貫通孔が形成されている平面が略円形な塵埃貯留部と、該塵埃貯留部の上部を閉塞する上ケースとを備えた掃除機本体において、前記貫通孔上流側をフィルターで覆い、前記下ケースには前記貫通孔の下流側となるように電動送風機を設置すると共に、一端に塵埃吸入路を設け他端を前記塵埃貯留部の外周近傍に前記軸線を中心としたほぼ接線方向に連通した塵埃吸入導路を前記上ケースに形成したものであって、前記フィルターは、前記貫通孔に設けた内側支持枠により内側に支持されている目の細かい内側フィルターと、前記内側フィルターの外側を覆うように前記貫通孔の上流側に設けられると共に前記塵埃貯留部に着脱自在に固定する固定手段を介して設けた目の粗い集塵用の外側フィルターとからなることを特徴とする掃除機本体であり、前記塵埃貯留部を下向きにしても、前記フィルターが前記塵埃貯留部より外れることがないので、安心して塵埃を廃棄することができる。さらに、吸引された塵埃は、吸引された空気と共に前記塵埃貯留部内を旋回して、サイクロン作用により前記塵埃貯留部の底に貯留される。さらに、細かい塵埃は、前記外側フィルター、内側フィルターにより捕捉される。
【００２５】
請求項２の発明は、前記固定手段が螺子結合であることを特徴とする請求項１記載の掃除機本体であり、前記フィルターは螺子結合により前記塵埃貯留部に確実に固定できる。
【００２６】
請求項３の発明は、前記固定手段が、前記塵埃貯留部及びフィルターのいずれか一方に嵌合部を設けると共に、他方に前記嵌合部が着脱自在に嵌合する嵌合受け部を設けたことを特徴とする請求項１記載の掃除機本体であり、前記フィルターは嵌合により前記塵埃貯留部に確実に固定できる。
【図面の簡単な説明】
【図１】  本発明の一実施例を示す全体斜視図である。
【図２】  本発明の一実施例を示す一部切り欠き側面図である。
【図３】  本発明の一実施例を示す分解斜視図である。
【図４】  本発明の他の実施例を示す分解斜視図である。
【符号の説明】
１  本体
２  下ケース
３  塵埃貯留部
４  上ケース
６  接続口（塵埃吸入導路）
７  ホース（塵埃吸入路）
９  電動送風機
12Ａ  貫通孔
13  内側フィルター
14  内側支持枠
15  外側フィルター
19  雌螺子（固定手段）
20  雄螺子（固定手段）
32  横向き溝部（嵌合部）
33  小突起（嵌合受け部）
Ａ  軸線
Ｓ  接線方向
【図１】
0003656249.tif 000002
【図２】
0003656249.tif 000003
【図３】
0003656249.tif 000004
【図４】
0003656249.tif 000005